(57)【要約】【課題】液晶表示機能付き加熱調理器において、液晶の周囲温度を、ＬＥＤ素子を利用して測定することで、温度検知素子を不要にすること。【解決手段】装置本体内に設けられた被加熱物を収納する加熱室５と、前記加熱室５内に高周波電力を供給する高周波発生装置１と前記加熱室５内を電熱加熱する電熱加熱手段４と、調理時刻等の設定及び表示をする液晶表示ユニット７と、前記液晶表示ユニット７と前記高周波発生装置１と前記電熱加熱手段４を制御する制御部８を備え、前記バックライトは、ＬＥＤ（発光ダイオード）も用いており、前記ＬＥＤ素子に任意の電流を流した時の順電圧から前記液晶表示ユニットの液晶周囲温度を測定し、前記温度から前記液晶表示ユニットのコントラストを補正する事で温度検知素子を不要にすることができる。【選択図】図１
2014074555.tif 000002
【特許請求の範囲】
【請求項１】
装置本体内に設けられた被加熱物を収納する加熱室と、前記加熱室内に高周波電力を供給する高周波発生手段と前記加熱室内を電熱加熱する電熱加熱手段と、調理時刻等の設定及び表示をする液晶表示ユニットと、前記液晶表示ユニットと前記高周波発生手段と前記電熱加熱手段を制御する制御部を備え、
前記液晶表示ユニットのバックライトは、発光ダイオードを用いており、前記発光ダイオードに任意の電流を流した時の順電圧から前記液晶表示ユニットの液晶周囲温度を測定し、前記温度から前記液晶表示ユニットのコントラストを補正する手段を持つ液晶表示機能付き加熱調理器。
【請求項２】
前記バックライトの発光ダイオードを、前記液晶表示ユニットの液晶の後面に均一に配置し、各発光ダイオードに任意の電流を流した時の順電圧の平均値から前記液晶表示ユニットの液晶周囲温度を測定することを特徴とした請求項１に記載の液晶表示機能付き加熱調理器。
【請求項３】
前記発光ダイオードに任意の電流を流した時の順電圧から測定した前記液晶表示ユニットの液晶周囲温度が、任意の温度を超えた場合に、加熱調理の出力を低下／もしくは冷却性能を向上させ、液晶の劣化を防ぐことを特徴とした請求項１に記載の液晶表示機能付き加熱調理器。
【発明の詳細な説明】
【技術分野】
【０００１】
本発明は、液晶表示機能付き加熱調理器において、液晶表示のコントラスト変動の調整に関するものである。
【背景技術】
【０００２】
従来、ドットマトリクスタイプの液晶装置において、液晶の周囲温度変化によるコントラスト変動を抑えるため、液晶に装着した温度検知素子（サーミスタ）から液晶周囲温度を読み取り、液晶回路の印加電圧の調整を行なっていた（例えば、特許文献１参照）。
【先行技術文献】
【特許文献】
【０００３】
【特許文献１】特開平２−３００７２２号公報
【発明の概要】
【発明が解決しようとする課題】
【０００４】
しかしながら、前記従来の構成では、液晶の周囲温度を測定するため、温度検知素子（サーミスタ）が必要であるという課題を有していた。
【０００５】
本発明は、前記従来の課題を解決するもので、液晶表示ユニットを照らすバックライトのＬＥＤ素子（発光ダイオード）を温度検知素子として使用することで、温度検知素子（サーミスタ）を使用せずに、液晶周囲温度を測定し、液晶表示のコントラスト変動の調整を行なう事を目的とする。
【課題を解決するための手段】
【０００６】
前記従来の課題を解決するために、本発明の液晶表示機能付き加熱調理器は、バックライトのＬＥＤ素子（発光ダイオード）の順電圧から液晶周囲温度を測定して、液晶表示のコントラスト変動の調整を行なうことを特徴としたものである。
【０００７】
これによって、温度検知素子（サーミスタ）の代用としてＬＥＤ素子を利用することができ、液晶周囲温度を測定するための温度検知素子（サーミスタ）を使用する必要が無く、コストを削減できる。
【発明の効果】
【０００８】
本発明の液晶表示機能付き加熱調理器は、液晶表示ユニットを照らすバックライトのＬＥＤ素子（発光ダイオード）の順電圧から液晶周囲温度を測定する事で、温度検知素子（サーミスタ）を不要にし、コストを削減することができる。
【図面の簡単な説明】
【０００９】
【図１】本発明の実施の形態１における液晶表示機能付き加熱調理器の構造を示す斜視図
【図２】本発明の実施の形態１における液晶表示ユニットの構成を示す斜視図
【図３】本発明の実施の形態１におけるＬＥＤ素子（発光ダイオード）の周囲温度−順電圧特性の例を示す特性図
【発明を実施するための形態】
【００１０】
第１の発明は装置本体内に設けられた被加熱物を収納する加熱室と、前記加熱室内に高周波電力を供給する高周波発生装置と前記加熱室内を電熱加熱する電熱加熱手段と、調理
時刻等の設定及び表示をする液晶表示ユニットと、前記液晶表示ユニットと前記高周波発生装置と前記電熱加熱手段を制御する制御部を備え、前記バックライトは、ＬＥＤ（発光ダイオード）を用いており、前記ＬＥＤ素子に任意の電流を流した時の順電圧から前記液晶表示ユニットの液晶周囲温度を測定し、前記温度から前記液晶表示ユニットのコントラストを補正することにより、前記液晶表示ユニットの液晶周囲温度を測定するための温度検知素子（サーミスタ）を不要にし、コストを削減することができる。
【００１１】
第２の発明は、特に、第一の発明の前記バックライトのＬＥＤ素子を、前記液晶表示ユニットの後面に均一に配置し、各ＬＥＤ素子に任意の電流を流した時の順電圧の平均値から前記液晶表示ユニットの液晶周囲温度を測定することで、温度検知の精度を向上させることができる。
【００１２】
第３の発明は、第１の発明の順電圧または第２の発明の順電圧の平均値から測定した前記液晶表示ユニットの液晶周囲温度が、任意の温度を超えた場合に、加熱調理の出力を低下／もしくは冷却性能を向上させることで、液晶の劣化を防ぐことができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における液晶表示機能付き加熱調理器の構造の斜視図を示すものである。
【００１５】
図１において、液晶表示機能付き加熱調理器は、食品などの被加熱物を収納し、加熱調理する加熱室５が設けられている。液晶表示機能付き加熱調理器本体内には、被加熱物を調理するための高周波発生装置１と電熱加熱調理をするための電熱加熱手段４が設けられている。高周波発生装置１で発生した２．４５ＧＨｚ帯の高周波電波は、導波管２を伝搬して、加熱室５内へ供給される。高周波発生装置１は、動作時に発熱し、安定動作させる上で障害となるので、冷却手段３により風を送り、強制冷却する。
【００１６】
液晶表示機能付き加熱調理器には、加熱室全面に、液晶表示ユニット７が設けられている。
【００１７】
制御部８では、ＡＣ電源をＤＣ電源に変換するＡＣ−ＤＣ電源回路が使用されており、制御部８のＩＣ駆動電圧やＬＥＤを駆動する電圧を作り出している。加熱室全面には入力手段９が設けられており、入力手段９には、タッチキー、ダイヤル、レバー等が用いられる。
【００１８】
図２は、本発明の実施の形態１における液晶表示ユニットの構成を示す斜視図である。
【００１９】
液晶表示ユニット７は、液晶１０の後面に、ＬＥＤ素子（発光ダイオード）１２を利用したバックライト１１を備えている。
【００２０】
以上のように構成された液晶表示機能付き加熱調理器について、以下その動作、作用を説明する。
【００２１】
食品の加熱調理にあたって、入力手段９を用いて加熱出力や調理時間などの加熱条件を設定し、加熱調理を行なう。その際、制御部８にて、液晶表示ユニット７のバックライト１１のＬＥＤ素子（発光ダイオード）１２に任意の電流を流して、点灯をしている。図３において、ＬＥＤ素子（発光ダイオード）の周囲温度−順電圧特性グラフの例を示す。横
軸が、周囲温度で、縦軸が順電圧を示しており、周囲温度が上昇すると、順電圧が減少し、周囲温度が低下すると順電圧が増加する。
【００２２】
任意の電流を流している際のＬＥＤ素子（発光ダイオード）１２の順電圧を制御部８にて読み込むことで、ＬＥＤ素子（発光ダイオード）１２の周囲温度、つまり液晶１０の周囲温度を求める事ができる。
【００２３】
この液晶１０の周囲温度をマイコンで読み取ることで、液晶１０の周囲温度影響によるコントラスト変動の調整を制御部８で行なうことが可能となる。
【００２４】
また、液晶１０の周囲温度が任意の温度を超えた場合に、加熱調理の出力を下げる、もしくは循環ファン６の出力を上げることで、液晶１０の周囲温度を任意の温度以下に抑えることができ、液晶の劣化を防ぐことが可能となる。
【００２５】
以上のように、本実施の形態においては、液晶表示ユニットを照らすバックライトのＬＥＤ素子（発光ダイオード）を温度検知素子として使用することで、温度検知素子（サーミスタ）を使用せずに、液晶周囲温度を測定し、液晶表示のコントラスト変動の調整を行なうが可能となる。
【００２６】
そのため、温度検知素子（サーミスタ）の代用としてＬＥＤ素子を利用することができ、液晶周囲温度を測定するための温度検知素子（サーミスタ）を使用する必要が無く、コストを削減できる。
【産業上の利用可能性】
【００２７】
以上のように、本発明にかかる液晶表示機能付き加熱調理器は、ＬＥＤ素子の順電圧を利用して、ＬＥＤ素子の周囲温度を測定することが可能となるため、温度検知を必要とするＬＥＤ照明機器の分野にも適用できる。
【符号の説明】
【００２８】
１  高周波発生装置
２  導波管
３  冷却手段
４  電熱加熱手段
５  加熱室
６  循環ファン
７  液晶表示ユニット
８  制御部
９  入力手段
１０  液晶
１１  バックライト
１２  ＬＥＤ素子（発光ダイオード）
【図１】
2014074555.tif 000003
【図２】
2014074555.tif 000004
【図３】
2014074555.tif 000005